(57)【要約】【課題】自動販売機の制御装置に関し、複数の圧縮機が一つの庫外熱交換器を共用している冷凍装置において、複数の圧縮機が互いに影響を及ぼさずに省エネを図る自動販売機を提供することを目的とする。【解決手段】それぞれ独立した冷凍装置を構成し、庫外熱交換器８１を一体化して共用する自動販売機において、一方の冷凍装置の運転状態に応じて他方の冷凍装置の運転を制御する制御手段を備えたことにより、庫外熱交換器を一体化して共用した場合の圧縮機の運転への悪影響を低減することができ、複数の圧縮機が互いに影響を及ぼさずに省エネを図ることができる。【選択図】図３
2012014477.tif 000002
【特許請求の範囲】
【請求項１】
冷媒を圧縮する複数の圧縮機と、前記冷媒を蒸発させる複数の庫内熱交換器と、前記冷媒を凝縮または蒸発させる庫外熱交換器と、前記複数の庫内熱交換器に送風する複数の庫内ファンと、前記庫外熱交換器に送風する庫外ファンと、庫内を加温するための複数のヒータとを備え、それぞれ独立した冷凍装置を構成し、前記庫外熱交換器を一体化して共用する自動販売機において、一方の冷凍装置の運転状態に応じて他方の冷凍装置の運転を制御する制御手段を備えたことを特徴とする自動販売機の制御装置。
【請求項２】
前記制御手段は、一方の冷凍装置の圧縮機、庫内ファン、庫外ファン、ヒータの少なくとも一つを、他方の冷凍装置の圧縮機の起動に影響を与えないタイミングで強制停止することを特徴とする請求項１に記載の自動販売機の制御装置。
【請求項３】
前記制御手段は、一方の冷凍装置の圧縮機が停止中は、他方の冷凍装置の圧縮機、庫内ファン、庫外ファン、ヒータの少なくとも一つを所定時間強制停止することを特徴とする請求項１に記載の自動販売機の制御装置。
【請求項４】
前記制御手段は、一方の冷凍装置の圧縮機が起動してから所定の時間経過後に、他方の冷凍装置の圧縮機、庫内ファン、庫外ファン、ヒータの少なくとも一つを強制停止することを特徴とする請求項１に記載の自動販売機の制御装置。
【請求項５】
前記制御手段は、一方の冷凍装置の圧縮機、庫内ファン、庫外ファン、ヒータの少なくとも一つを、他方の冷凍装置の圧縮機の起動に影響を与えないタイミングで遅延停止することを特徴とする請求項１に記載の自動販売機の制御装置。
【請求項６】
前記制御手段は、一方の冷凍装置の圧縮機が起動してから所定の時間経過後に、他方の冷凍装置の圧縮機、庫内ファン、庫外ファン、ヒータの少なくとも一つを遅延停止することを特徴とする請求項５に記載の自動販売機の制御装置。
【請求項７】
前記制御手段は、一方の冷凍装置の圧縮機が停止中は、他方の冷凍装置の圧縮機、庫内ファン、庫外ファン、ヒータの少なくとも一つを遅延動作することを特徴とする請求項５に記載の自動販売機の制御装置。
【発明の詳細な説明】
【技術分野】
【０００１】
本発明は、複数の冷凍装置を備えた自動販売機の制御装置に関するものである。
【背景技術】
【０００２】
近年、自動販売機は、圧縮機やヒータやファンモータを所定の時間停止して省エネを図る制御仕様となってきている。（例えば、特許文献１参照）。
【０００３】
以下、図面を参照しながら、上記従来の自動販売機について説明する。
【０００４】
図４は、従来の自動販売機の概略構成を示す縦断面図、図５は従来の自動販売機の運転状態を示すグラフである。
【０００５】
図４において、自動販売機本体１内には断熱材２を介して前面（図の左側の面）が開口した商品収納室３が構成され、その内部に商品収納棚４が配置されている。商品収納棚４は前後に４列の曲がりくねった商品収納通路５を有しているが、この商品収納通路５は左右（紙面に直角の方向）にも複数列、例えば４列形成されている。商品収納室３の前面は断熱壁からなる内扉６で開閉自在に密閉され、その外側に自動販売機本体１を開閉自在に閉塞する本体扉７がある。
【０００６】
商品収納室３の底部には冷却器（蒸発器）８、ヒータ９及びファン１０が前後に配置され、自動販売機本体１の底部には冷却器８に冷媒を供給する冷凍機の圧縮機１１や凝縮器１２が収容されている。商品収納棚４の各商品収納通路５には、円筒状の缶容器にコーヒーやジュースが入った缶飲料商品１３が種類ごとに分けて横倒し姿勢で多数積み重ねられている。商品収納通路５の下端部は直線通路となっており、最下部の商品１３はここに斜めに張り出すフラッパ１４に受け止められて落下を阻止されている。商品販売時にはいずれかの商品収納通路５の商品１３がフラッパ１４による落下阻止を外されシュータ１５上に搬出される。この商品１３はシュータ１５に沿って転動し、内扉６の下部に設けられた搬出扉１６を押し開けて商品取出口１７に達する。
【０００７】
冷却器８やヒータ９は循環空気の吐出口に設置された温度センサ１８からの温度検知信号と図示しない制御装置の記憶部に予め設定された基準温度との差に基づいてオンオフ制御され、これによって商品は所望の温度範囲に保たれる。
【０００８】
上記構成において、冷却器８やヒータ９を特定の時間帯に強制停止させて省エネを図る場合に、強制停止時間帯を１日のうちに複数回設定し、強制停止を小刻みに実施するようにする。これによりトータルの停止時間を長くする。具体的には、図５に示すように、１日のうちに特定の時間帯を複数回設定し、これらの時間帯には冷却器８又はヒータ９を強制的に停止させるものである。
【先行技術文献】
【特許文献】
【０００９】
【特許文献１】特許第３４４４４４１号公報
【発明の概要】
【発明が解決しようとする課題】
【００１０】
しかしながら、上記従来の自動販売機１では、単一の冷凍装置を備えたものが前提であり、近年のヒートポンプを活用して複数の冷凍装置を備えたもので、複数の圧縮機が庫外熱交換器を共用している冷凍装置においては、省エネのために一方の圧縮機が強制停止する場合、もう他方の圧縮機の動作に影響を及ぼすという課題を有していた。その理由は、庫外熱交換器を共有していることで、一方の圧縮機の停止による圧縮機の高圧と低圧の圧力変化が庫外熱交換器に伝わり、それが他方の圧縮機に伝わるためである。
【００１１】
本発明は上記従来の課題を解決するものであり、複数の圧縮機が一つの庫外熱交換器を共用している冷凍装置において、複数の圧縮機が互いに影響を及ぼさずに省エネを図る自動販売機の制御装置を提供することを目的とする。
【課題を解決するための手段】
【００１２】
上記従来の課題を解決するために、本発明の自動販売機の制御装置は、冷媒を圧縮する複数の圧縮機と、前記冷媒を蒸発させる複数の庫内熱交換器と、前記冷媒を凝縮または蒸発させる庫外熱交換器と、前記複数の庫内熱交換器に送風する複数の庫内ファンと、前記庫外熱交換器に送風する庫外ファンと、庫内を加温するための複数のヒータとを備え、それぞれ独立した冷凍装置を構成し、前記庫外熱交換器を一体化して共用する自動販売機において、一方の冷凍装置の運転状態に応じて他方の冷凍装置の運転を制御する制御手段を備えたものである。
【００１３】
これによって、庫外熱交換器を一体化して共用した場合の圧縮機の運転への悪影響を低減することができる。
【発明の効果】
【００１４】
本発明の自動販売機は、複数の圧縮機が一つの庫外熱交換器を共用している冷凍装置において、複数の圧縮機が互いに影響を及ぼさずに省エネを図ることができる。
【図面の簡単な説明】
【００１５】
【図１】本発明の実施の形態１における自動販売機内部の概要構成図
【図２】本発明の実施の形態１における自動販売機の冷凍装置の概要構成図
【図３】本発明の実施の形態１における自動販売機の制御装置の構成図
【図４】従来の自動販売機の概略構成を示す縦断面図
【図５】従来の自動販売機の運転状態を示すグラフ
【発明を実施するための形態】
【００１６】
請求項１に記載の発明は、冷媒を圧縮する複数の圧縮機と、前記冷媒を蒸発させる複数の庫内熱交換器と、前記冷媒を凝縮または蒸発させる庫外熱交換器と、前記複数の庫内熱交換器に送風する複数の庫内ファンと、前記庫外熱交換器に送風する庫外ファンと、庫内を加温するための複数のヒータとを備え、それぞれ独立した冷凍装置を構成し、前記庫外熱交換器を一体化して共用する自動販売機において、一方の冷凍装置の運転状態に応じて他方の冷凍装置の運転を制御する制御手段を備えたものであり、庫外熱交換器を一体化して共用した場合の圧縮機の運転への悪影響を低減することができ、複数の圧縮機が互いに影響を及ぼさずに省エネ運転を図ることができる。
【００１７】
請求項２に記載の発明は、請求項１に記載の発明において、前記制御手段は、一方の冷凍装置の圧縮機、庫内ファン、庫外ファン、ヒータの少なくとも一つを、他方の冷凍装置の圧縮機の起動に影響を与えないタイミングで強制停止するものであり、確実に複数の圧縮機が互いに影響を及ぼさずに省エネ運転を図ることができる。
【００１８】
請求項３に記載の発明は、請求項１に記載の発明において、前記制御手段は、一方の冷凍装置の圧縮機が停止中は、他方の冷凍装置の圧縮機、庫内ファン、庫外ファン、ヒータの少なくとも一つを所定時間強制停止するものであり、確実に複数の圧縮機が互いに影響を及ぼさずに省エネ運転を図ることができる。
【００１９】
請求項４に記載の発明は、請求項１に記載の発明において、前記制御手段は、一方の冷凍装置の圧縮機が起動してから所定の時間経過後に、他方の冷凍装置の圧縮機、庫内ファン、庫外ファン、ヒータの少なくとも一つを強制停止するものであり、確実に複数の圧縮機が互いに影響を及ぼさずに省エネ運転を図ることができる。
【００２０】
請求項５に記載の発明は、請求項１に記載の発明において、前記制御手段は、一方の冷凍装置の圧縮機、庫内ファン、庫外ファン、ヒータの少なくとも一つを、他方の冷凍装置の圧縮機の起動に影響を与えないタイミングで遅延停止するものであり、確実に複数の圧縮機が互いに影響を及ぼさずに省エネ運転を図ることができる。
【００２１】
請求項６に記載の発明は、請求項５に記載の発明において、前記制御手段は、一方の冷凍装置の圧縮機が起動してから所定の時間経過後に、他方の冷凍装置の圧縮機、庫内ファン、庫外ファン、ヒータの少なくとも一つを遅延停止するものであり、確実に複数の圧縮機が互いに影響を及ぼさずに省エネ運転を図ることができる。
【００２２】
請求項７に記載の発明は、請求項５に記載の発明において、前記制御手段は、一方の冷凍装置の圧縮機が停止中は、他方の冷凍装置の圧縮機、庫内ファン、庫外ファン、ヒータの少なくとも一つを遅延動作するものであり、確実に複数の圧縮機が互いに影響を及ぼさずに省エネ運転を図ることができる。
【００２３】
以下、本発明の実施の形態について、図面を参照しながら説明する。なお、この実施の形態によってこの発明が限定されるものではない。
【００２４】
（実施の形態１）
図１は本発明の実施の形態１における自動販売機内部の概要構成図である。図２は、本発明の実施の形態１における自動販売機の冷凍装置の概要構成図を示す。図３は、本発明の実施の形態１における自動販売機の制御装置の構成図である。
【００２５】
図１において、自動販売機２１は、断熱隔壁２２により区画された庫内Ａ、庫内Ｂそして庫内Ｃを備え、それぞれに商品収納コラム２３Ａ、商品収納コラム２３Ｂそして商品収納コラム２３Ｃを有する。さらに、商品収納コラム２３Ａ、商品収納コラム２３Ｂそして商品収納コラム２３Ｃ内には、温度を測定するコラム内温度測定センサ４１Ａ、コラム内温度測定センサ４１Ｂそしてコラム内温度測定センサ４１Ｃを有する。そして、自動販売機全体を制御するためのコントローラ２７、圧縮機等の冷却装置及び商品排出機構等が内蔵された機構部２６を備えて構成されている。
【００２６】
図２において、冷凍装置の庫内Ａ側は、庫内Ａを冷却または加温するための庫内熱交換器５１Ａ、庫内ファン６１Ａ、ヒータ６２Ａ、インバータ圧縮機７１Ａ、庫外熱交換器８１、庫外ファン８２Ａ、庫外ファン８２Ｂそして庫内熱交換器５１Ａを冷却または加温に切替えるための四方弁９２を備えている。一方、冷凍装置の庫内Ｂ側と庫内Ｃ側は、庫内Ｂを冷却するための庫内熱交換器５１Ｂ、庫内ファン６１Ｂ、ヒータ６２Ｂ、庫内Ｃを冷却するための庫内熱交換器５１Ｃ、庫内ファン６１Ｃ、ヒータ６２Ｃを備えている。そして、一定速圧縮機７１Ｂ、庫外熱交換器８１、キャピラリチューブ９３Ｂ、キャピラリチューブ９３Ｃ、三方弁９４を備えている。三方弁９４の一方は、キャピラリチューブ９３Ｂと庫内熱交換器５１Ｂと庫内熱交換器５１Ｃにつながる冷媒流路を形成し、三方弁９２の他方は、キャピラリチューブ９３Ｃと庫内熱交換器５１Ｃにつながる冷媒流路を形成しており、それぞれ選択的に制御される。
【００２７】
図３において、制御装置の主制御部２００は、負荷動作低減手段１００として、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの動作状態を判定するための負荷動作判定部１００ａと、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの少なくとも一つの強制停止や遅延動作を許可するための動作低減制御許可判定部１００ｂと、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの少なくとも一つの強制停止や遅延動作する時間を測定し、または決定するための動作低減制御時間決定部１００ｃと、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂに動作または停止の指令を送る負荷動作指令部１００ｄを備えている。
【００２８】
負荷動作低減手段１００として、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの少なくとも一つをタイミングよく強制停止するための強制停止制御手段１１０と、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの少なくとも一つをタイミングよく遅延動作するための遅延動作制御手段１２０を備えている。
【００２９】
さらに、強制停止制御手段１１０は、負荷動作判定部１００ａと、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの少なくとも一つの強制停止を許可するための強制停止許可判定部１１０ｂと、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの少なくとも一つの強制停止する時間を測定し、または決定するための強制停止時間決定部１１０ｃと、負荷動作指令部１００ｄを備えている。
【００３０】
本発明の実施の形態１の強制停止制御手段１１０（負荷動作低減手段１００）としての所定時間強制停止制御手段１１１は、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの停止状態を判定するための負荷停止判定部１０１ａと、強制停止許可判定部１１０ｂと、強制停止時間決定部１１０ｃと、負荷動作指令部１００ｄとしている。
【００３１】
以上のように構成された自動販売機の制御装置について、以下その動作、作用を説明する。
【００３２】
まず、強制停止の概要を説明する。強制停止は、例えば冷却で、本来なら冷却停止温度に到達すれば冷却を停止するが、冷却停止温度に到達していなくても冷却を停止することである。ここでは一定速圧縮機７１Ｂと庫内ファン６１Ｂと庫内ファン６１Ｃの強制停止についてその動作を説明する。インバータ圧縮機７１Ａと一定速圧縮機７１Ｂがそれぞれ動作または停止を繰り返している中、強制停止時間決定部１１０Ｃに記憶されている時刻（例えば１１時から１時間毎）になったとき、負荷停止判定部１０１ａがインバータ圧縮機７１Ａの動作状態を確認する。インバータ圧縮機７１Ａが動作中のときは１０分後に再度確認し、インバータ圧縮機７１Ａ停止と判定するまで繰り返す。インバータ圧縮機７１Ａ停止と判定したら強制停止許可決定部１１０ｂが一定速圧縮機７１Ｂと庫内ファン６１Ｂと庫内ファン６１Ｃの停止を許可し、負荷動作指令部１００ｄが一定速圧縮機７１Ｂと庫内ファン６１Ｂと庫内ファン６１Ｃを１０分間強制停止させる。
【００３３】
よって、インバータ圧縮機７１Ａの起動直後といった過渡状態に強制停止を行わないので、インバータ圧縮機７１Ａの動作バランス（低圧側と高圧側の圧力バランス）を崩さずに済む。
【００３４】
以上のように、本実施の形態においては、強制停止制御手段１１０（負荷動作低減手段１００）を所定時間強制停止制御手段１１１とすることにより、インバータ圧縮機７１Ａの起動直後といった過渡状態に強制停止を行わないことで、インバータ圧縮機７１Ａの動作バランス（低圧側と高圧側の圧力バランス）を崩さずに済み、インバータ圧縮機７１Ａの起動性を維持した状態で省エネを図ることができる。
【００３５】
また、本発明の実施の形態１の強制停止制御手段１１０（負荷動作低減手段１００）を所定動作強制停止制御手段１１２にしたときも同様の作用と効果を得ることができる。ここでは構成と動作の説明を行う。
【００３６】
所定動作強制停止制御手段１１２は、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの起動状態を判定するための負荷起動判定部１１２ａと、強制停止許可判定部１１０ｂと、強制停止時間決定部１１２ｃと、負荷動作指令部１００ｄとしている。
【００３７】
以上のように構成された自動販売機の制御装置について、以下その動作を説明する。
【００３８】
インバータ圧縮機７１Ａと一定速圧縮機７１Ｂがそれぞれ動作または停止を繰り返している中、負荷起動判定部１１２ａがインバータ圧縮機７１Ａの動作を確認する。インバータ圧縮機７１Ａが起動したと判定した場合、強制停止時間決定部１１０ｃが決定した時間（１分）が経過するまで、強制停止許可決定部１１０ｂは一定速圧縮機７１Ｂと庫内ファン６１Ｂと庫内ファン６１Ｃの停止を許可せず、１分を過ぎれば停止を許可して負荷動作指令部１００ｄが一定速圧縮機７１Ｂと庫内ファン６１Ｂと庫内ファン６１Ｃを１０分間強制停止する。
【００３９】
（実施の形態２）
図３は、本発明の実施の形態２における自動販売機の制御装置の構成図であり、本発明の第２の実施の形態に関する箇所のみ説明する。なお、実施の形態１と同一構成については、詳細な説明を省略する。
【００４０】
図３において、本発明の実施の形態２の負荷動作低減手段１００としての遅延動作制御手段１２０は、負荷動作判定部１００ａと、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの少なくとも一つの遅延動作を許可するための遅延動作許可判定部１２０ｂと、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの少なくとも一つの遅延動作する時間を測定し、または決定するための遅延動作時間決定部１２０ｃと、負荷動作指令部１００ｄとしている。
【００４１】
さらに、遅延動作制御手段１２０（負荷動作低減手段１００）としての負荷動作中の遅延動作制御手段１２１は、負荷起動判定部１１２ａと、遅延動作許可判定部１２０ｂと、遅延動作時間決定部１２０ｃと、負荷動作指令部１００ｄとしている。
【００４２】
以上のように構成された自動販売機の制御装置について、以下その動作、作用を説明する。
【００４３】
まず、遅延動作の概要を説明する。遅延動作は、例えば冷却で、本来なら冷却動作温度に到達すれば冷却を動作するが、この動作のタイミングを遅らせることである。ここでは一定速圧縮機７１Ｂの遅延動作についてその動作を説明する。一定速圧縮機７１Ｂが停止した後、本来の起動条件に到達しても一定速圧縮機７１Ｂを起動せず停止を維持する。負荷起動判定部１１２ａがインバータ圧縮機７１Ａの起動を確認すると同時に、遅延動作時間決定部１２０ｃが遅延動作タイマーのカウントを始める。そして、遅延動作タイマーが所定の時間に到達すれば、遅延動作許可判定部１２０ｂが一定速圧縮機７１Ｂの遅延動作を許可し、負荷動作指令部１００ｄが一定速圧縮機７１Ｂを動作させる。
【００４４】
よって、インバータ圧縮機の起動直後といった過渡状態に遅延動作を行わないので、インバータ圧縮機の動作バランス（低圧側と高圧側の圧力バランス）を崩さずに済む。
【００４５】
以上のように、本実施の形態においては、遅延動作制御手段１２０（負荷動作低減手段１００）を負荷動作中の遅延動作制御手段１２１とすることにより、インバータ圧縮機７１Ａの起動直後といった過渡状態に遅延動作を行わないことで、インバータ圧縮機７１Ａの動作バランス（低圧側と高圧側の圧力バランス）を崩さずに済み、インバータ圧縮機７１Ａの起動性を維持した状態で省エネを図ることができる。
【００４６】
また、本発明の実施の形態２の遅延動作制御手段１２０（負荷動作低減手段１００）を負荷停止中の遅延動作制御手段１２２にしたときも同様の作用と効果を得ることができる。ここでは構成と動作の説明を行う。
【００４７】
負荷停止中の遅延動作制御手段１２２は、負荷停止判定部１０１ａと、遅延動作許可判定部１２０ｂと、遅延動作時間決定部１２０ｃと、負荷動作指令部１００ｄと、コラム内温度測定センサ４１Ａとコラム内温度測定センサ４１Ｂとコラム内温度測定センサ４１Ｃの温度を読み取る冷凍装置温度検知部１２２ｅとしている。
【００４８】
以上のように構成された自動販売機の制御装置について、以下その動作を説明する。
【００４９】
一定速圧縮機７１Ｂ停止後、本来の起動条件に到達しても一定速圧縮機７１Ｂを起動せず停止を維持する。同時に遅延動作時間決定部１２０ｃが遅延動作タイマーのカウントを始める。そして遅延動作タイマーが所定の時間に到達したら、負荷停止判定部１０１ａがインバータ圧縮機７１Ａの動作状態を確認し、冷凍装置温度検知部１２２ｅがインバータ圧縮機７１Ａを含む冷凍装置の庫内熱交換器５１Ａの温度を確認する。インバータ圧縮機７１Ａが停止中で、かつ庫内熱交換器５１Ａの温度が所定温度に到達していれば、遅延動作許可判定部１２０ｂが一定速圧縮機７１Ｂの遅延動作を許可して、負荷動作指令部１００ｄが一定速圧縮機７１Ｂを動作させる。
【００５０】
なお、本実施の形態では一定速圧縮機７１Ｂ、庫内ファン６１Ｂそして庫内ファン６１Ｃの強制停止や、一定速圧縮機７１Ｂの遅延動作としているが、これらの組合せ以外でも同意用の効果を得ることができる。
【産業上の利用可能性】
【００５１】
以上のように、本発明にかかる自動販売機は、複数の圧縮機が一つの庫外熱交換器を共用している冷凍装置において、複数の圧縮機が互いに影響を及ぼさずに省エネを図ることができるので、複数の圧縮機が一つの庫外熱交換器を共用している冷凍装置を備えた冷凍機器に適用できる。
【符号の説明】
【００５２】
２１  自動販売機
５１Ａ、５１Ｂ、５１Ｃ  庫内熱交換器
６１Ａ、６１Ｂ、６１Ｃ  庫内ファン
６２Ａ、６２Ｂ、６２Ｃ  ヒータ
７１Ａ  インバータ圧縮機
７１Ｂ  一定速圧縮機
８１  庫外熱交換器
８２Ａ、８２Ｂ  庫外ファン
２００  主制御部
【図１】
2012014477.tif 000003
【図２】
2012014477.tif 000004
【図３】
2012014477.tif 000005
【図４】
2012014477.tif 000006
【図５】
2012014477.tif 000007